(57)【特許請求の範囲】
【請求項１】
釣りに用いられ餌を固定可能なエギであって、
エギ本体と、
第１方向における前記エギ本体の一端部寄りの位置に設けられ、餌が配置される台座面と、
餌を押圧して前記台座面に固定するための固定部材と、を備え、
前記固定部材を取り付けるための取付部が、前記エギ本体の前記一端部寄りの位置に設けられており、
前記エギ本体と別体で形成され、且つ、前記エギ本体の前記一端部に固定される台座部材をさらに備え、
前記台座面及び前記取付部は、前記台座部材に設けられていることを特徴とする、エギ。
【請求項２】
前記取付部は、前記固定部材を係止させるための複数の突起であり、
前記突起は、突起本体部及び突起拡大部を有し、
前記突起本体部は、前記第１方向と交差する第２方向に突出し、
前記突起拡大部は、前記突起本体部の先端部に設けられ、且つ、前記突起本体部よりも大きな幅を有している、請求項１に記載のエギ。
【請求項３】
前記台座部材の前記台座面に複数の凸部が形成されている、請求項１又は２に記載のエギ。
【請求項４】
前記台座部材は、前記エギ本体に着脱自在に構成されていることを特徴とする、請求項１乃至３のいずれか一項に記載のエギ。
【請求項５】
前記台座部材は、透明材料によって形成されている、請求項１乃至４のいずれか一項に記載のエギ。
【請求項６】
前記台座部材は、前記エギ本体よりも柔軟性を有する材料によって形成されている、請求項１乃至４のいずれか一項に記載のエギ。
【請求項７】
前記台座部材及び前記固定部材の少なくとも一方が、発光材料によって形成されている、請求項１乃至４のいずれか一項に記載のエギ。
【請求項８】
前記固定部材は、固定部材本体部及び固定部材拡大部を有しており、
前記固定部材拡大部は、前記固定部材本体部の両端部に設けられ、前記固定部材本体部よりも大きな幅を有し、且つ貫通孔が形成され、
前記貫通孔は、前記固定部材拡大部の弾性によって拡大して前記取付部を挿通可能に形成されている、請求項１乃至７のいずれか一項に記載のエギ。
【発明の詳細な説明】
【技術分野】
【０００１】
本発明は、釣りに用いられるエギに関する。
【背景技術】
【０００２】
特許文献１は、「エギ（餌木）」と称されるイカ釣り用の疑似餌を提案している。エギを用いた釣りは「エギング」と称され、ユーザは、釣糸の先に取り付けたエギを海中で揺動させてイカを誘引し、当該エギを掴んだイカを釣り上げる。イカが好んで捕食する魚等に似せるため、エギの本体（ボディ）は湾曲面によって構成されることが一般的である。
【０００３】
イカは警戒心が強く、エギに対して違和感を覚えると、エギを掴まなかったり、掴んだエギを離して去ったりすることがある。このため、特許文献１記載のエギは、その外側面に生魚を固定できるように構成されている。このようなエギによれば、触覚を通してイカに与える違和感を生魚によって軽減し、イカに長時間エギを掴ませ、当該イカの存在をユーザに確実に察知させることが可能になる。これにより、釣果が高まることが期待される。
【０００４】
特許文献１記載のエギでは、生魚の固定に輪ゴムが用いられる。輪ゴムがその弾性力によって生魚をエギの本体に押し付けることで、生魚がエギに固定される。
【先行技術文献】
【特許文献】
【０００５】
【特許文献１】特開２０１３−１６５６８４号公報
【発明の概要】
【発明が解決しようとする課題】
【０００６】
特許文献１記載のエギでは、輪ゴムは、エギの本体を周回するように巻きつけられる。このような構成では、ユーザが輪ゴムを巻きつける際に、本体の外周で手を大きく動かす必要がある。このため、生魚を固定する作業が煩雑になったり、作業中に誤ってエギの針で手を傷つけたりするおそれがあった。
【０００７】
また、エギの本体が湾曲面によって構成されている場合は、本体の外周に巻きつけた輪ゴムの位置が安定せず、餌が本体から脱落するおそれがあった。
【０００８】
本発明はこのような課題に鑑みてなされたものであり、餌の固定作業を簡単且つ安全に行うことが可能なエギを提供することを目的とする。
【課題を解決するための手段】
【０００９】
上述した目的を達成するために、本発明は、釣りに用いられ餌を固定可能なエギであって、エギ本体と、第１方向におけるエギ本体の一端部寄りの位置に設けられ、餌が配置される台座面と、餌を押圧して台座面に固定するための固定部材と、を備え、固定部材を取り付けるための取付部が、エギ本体の一端部寄りの位置に設けられていることを特徴とする。
【００１０】
この構成によれば、台座面は、エギ本体の一端部寄りの位置に設けられており、ユーザは、同一端部寄りの位置に設けられている取付部に固定部材を取り付けることにより、餌を台座面に固定することができる。すなわち、上記構成によれば、エギ本体の一端部寄りの位置のみで、餌を固定する作業を完結させることが可能になるため、エギ本体を周回するように固定部材を巻きつける必要が無い。この結果、餌の固定作業を簡単且つ安全に行うことが可能になる。
【００１１】
本発明において、好ましくは、取付部は、固定部材を係止させるための複数の突起であり、突起は、突起本体部及び突起拡大部を有し、突起本体部は、第１方向と交差する第２方向に突出し、突起拡大部は、突起本体部の先端部に設けられ、且つ、突起本体部よりも大きな幅を有している。
【００１２】
この構成によれば、固定部材が外力を受けた場合でも、固定部材の移動を突起拡大部によって規制することができる。この結果、固定部材の係止が不作為に解除されることを防止し、餌を台座面に確実に固定することが可能になる。
【００１３】
ところで、エギ本体には加飾や加工が施されることがある。例えば、近年の市場で流通しているエギにおいては、イカがエギを掴んだ際の触感を本物の魚やエビに近づけるために、エギ本体に布が貼り付けられているものが主流となっている。また、外観を本物の魚やエビに近づけるために、この布に、色や模様が付されている。しかしながら、固定部材を係止するための取付部が設けられると、当該取付部が加飾や加工の作業の邪魔となり、エギの生産性を低下させるおそれがある。
【００１４】
そこで、本発明は、好ましくは、エギ本体と別体で形成され、且つ、エギ本体の一端部に固定される台座部材を備え、台座面及び取付部は、台座部材に設けられている。
【００１５】
この構成によれば、台座面及び取付部が設けられている台座部材を、エギ本体から分離した状態で、エギ本体に加飾や加工を施すことができる。これにより、取付部によって邪魔されることなく、エギ本体に加飾や加工を施すことが可能になる。また、エギ本体に布が貼り付けられている場合には、台座面に配置された餌と布とは台座部材によって隔てられるため、餌の臭いが布に付着してしまうことを抑制できる。
【００１６】
本発明において、好ましくは、台座部材の台座面に複数の凸部が形成されている。
【００１７】
この構成によれば、台座面に配置された餌に凸部を食い込ませ、餌の移動を抑制し、餌を台座面に確実に固定することが可能になる。また、エギ本体に布が貼付される場合でも、台座部材をエギ本体から分離した状態でエギ本体の外側面に布を貼付すれば、台座面の凸部が当該布によって覆われてしまうこともない。
【００１８】
本発明において、好ましくは、台座部材は、エギ本体に着脱自在に構成されている。
【００１９】
この構成によれば、形状、色、模様、サイズ等が互いに異なる複数の台座部材を用意し、ユーザが釣ろうとする生物や、固定部材の種類等に応じて、台座部材を選択的にエギ本体に装着ことが可能になる。
【００２０】
本発明において、好ましくは、台座部材は、透明材料によって形成されている。
【００２１】
この構成によれば、台座部材に設けられた取付部を目立たなくし、釣ろうとする生物に視覚を通して与える違和感を軽減することが可能になる。
【００２２】
本発明において、好ましくは、台座部材は、エギ本体よりも柔軟性を有する材料によって形成されている。
【００２３】
この構成によれば、イカやタコ等の生物が台座部材を掴んだ際に、当該生物に触覚を通して与える違和感を軽減することが可能になる。
【００２４】
本発明において、好ましくは、台座部材及び固定部材の少なくとも一方が、発光材料によって形成されている。
【００２５】
この構成によれば、特に夜間に、光によって、ユーザが釣ろうとする生物をより強く誘引することが可能になる。発光材料としては、例えば、蓄光材料や、紫外線を受けて発光する蛍光材料等を用いることができる。
【００２６】
本発明において、好ましくは、固定部材は、固定部材本体部及び固定部材拡大部を有しており、固定部材拡大部は、固定部材本体部の両端部に設けられ、固定部材本体部よりも大きな幅を有し、且つ貫通孔が形成され、貫通孔は、固定部材拡大部の弾性によって拡大して取付部を挿通可能に形成されている。
【００２７】
この構成によれば、固定部材拡大部の弾性によって拡大した貫通孔は、取付部を挿通させた後に収縮し、取付部を締め付けるように作用する。これにより、取付部に対して固定部材拡大部を強固に係止させ、餌を台座面に確実に固定することが可能になる。また、固定部材拡大部は固定部材本体部よりも大きな幅を有しているため、貫通孔を拡大させた際に固定部材拡大部が破損することを防止できる。
【発明の効果】
【００２８】
本発明によれば、餌の固定作業を簡単且つ安全に行うことが可能なエギを提供することができる。
【図面の簡単な説明】
【００２９】
【図１】実施形態に係るエギを示す斜視図である。
【図２】図１のエギを示す側面図である。
【図３】図１のエギを示す分解斜視図である。
【図４】図１の台座部材を示す平面図である。
【図５】図１のバンドを示す平面図である。
【発明を実施するための形態】
【００３０】
以下、添付図面を参照しながら実施形態について説明する。説明の理解を容易にするため、各図面において同一の構成要素に対しては可能な限り同一の符号を付して、重複する説明は省略する。
【００３１】
［構成］
まず、図１から図５を参照しながら、実施形態に係るエギ１と、エギ１を構成している各部材について説明する。図１は、エギ１を示す斜視図であり、図２は、エギ１を示す側面図である。図３は、エギ１を示す分解斜視図であり、図４は、台座部材３を示す平面図である。図５は、バンド４を示す平面図であり、バンド４の一端部を拡大して示している。
【００３２】
エギ１は、主にイカ釣り用として提供される疑似餌である。エギ１は、エギ本体２と、台座部材３と、バンド４と、を備えている。
【００３３】
エギ本体２は樹脂材料によって形成されており、その外観は、イカが好んで捕食する生物に似たものとなっている。具体的には、エギ本体２の外観は、頭部２１及び尾部２２を有する魚を模している。樹脂材料として、例えば、熱可塑性樹脂を用いることができ、具体的には、樹脂材料として、ＡＢＳ樹脂を用いることができる。また、エギ本体２は、樹脂材料以外に、比重が比較的小さい材料（例えば、木材）によって形成してもよい。
【００３４】
尚、本明細書では、図１から図４に示すように、鉛直上方向を「上」といい、鉛直下方向を「下」という。鉛直方向は、本発明に係る「第１方向」の一例である。また、説明の便宜上、水平方向且つエギ本体２の頭部２１が向く方向を「前」といい、尾部２２が向く方向を「後」という。さらに、水平方向であって、前を向いた場合の左方向を「左」、右方向を「右」という。左右方向は、本発明に係る「第２方向」の一例である。このようなエギ１の姿勢は、本発明に係るエギの使用態様を限定するものではない。
【００３５】
エギ本体２の形状は左右方向に略対称であり、上端部２ａと下端部２ｂとの間に設けられる側面２６は、外方に膨出する湾曲面である。この側面２６を含むエギ本体２の外側面には、布２８が貼付されている。布２８には、魚の色や模様を模した着色が施されている。図１から図３は、布２８を簡易的に示している。
【００３６】
エギ本体２の下端部２ｂには、魚の腹ビレを模した腹ビレ部２３が取り付けられている。腹ビレ部２３は、エギ本体２に用いられるＡＢＳ樹脂よりも比重が大きい材料によって形成されており、エギ１に適度な重量を与える錘として機能する。エギ本体２の頭部２１には、釣糸接続部２４が固定されている。釣糸接続部２４は環状を呈し、頭部２１から前方に突出している。エギ本体２の尾部２２には、針部２５が固定されている。針部２５は、放射状に配置された複数の針を有している。各針の先端は、いずれも前方に向けられている。
【００３７】
図３に示すエギ本体２の上端面２７は、湾曲形成されている。前後方向における上端面２７の両端部には、凹部２７ａが形成されている。凹部２７ａは下方に向かって凹設されており、その断面形状は略円形状を呈している。
【００３８】
台座部材３は、エギ本体２と別体で、透明な樹脂材料を用いて形成されている。台座部材３は、基板３１と、６つの突起３２と、を有している。本実施形態に係る突起３２は、本発明に係る「取付部」の一例である。基板３１の下端面（不図示）は、エギ本体２の上端面２７と対応するように湾曲形成されている。台座部材３の外側面には布は貼付されない。樹脂材料として、例えば、熱可塑性樹脂を用いることができる。具体的には、樹脂材料として、ＡＢＳ樹脂を用いることができる。また、台座部材３は、樹脂材料以外に、比重が比較的小さい材料（例えば、木材）によって形成してもよい。
【００３９】
基板３１の上端面は、台座面３１ａとして機能する。台座面３１ａには、５つの凸部３３が形成されており、凸部３３は前後方向に互いに間隔を空けて配置されている。凸部３３は、台座面３１ａから突出しており、台座面３１ａ側から先端部側にかけて漸次細くなる略円錐形状を呈している。また、図３に示すように、基板３１の下端面のうち、前後方向における両端部から、爪部３４が突出している（図３には前側の爪部３４のみが図示されている）。爪部３４は略円柱形状を呈しており、その断面形状は、凹部２７ａの断面形状と対応している。
【００４０】
突起３２は、基板３１と一体的に形成され、基板３１の左右の側面３１ｂに３つずつ設けられている。突起３２は前後方向に互いに間隔を空けて配置されており、突起本体部３２ａ及び突起拡大部３２ｂを有している。突起本体部３２ａは、側面３１ｂから左右方向に突出しており、略円柱形状を呈している。突起拡大部３２ｂは、突起本体部３２ａの先端部に設けられている。突起拡大部３２ｂの幅Ｗ２は、突起本体部３２ａの幅Ｗ１よりも大きい。換言すると、突起拡大部３２ｂの外縁は、突起本体部３２ａの外縁よりも外方に位置している。
【００４１】
台座部材３は、エギ本体２に着脱自在に構成されている。具体的には、台座部材３は、図３に示す台座部材３の爪部３４を、凹部２７ａに嵌入させる、又は、凹部２７ａから排出することにより、エギ本体２に着脱することができる。台座部材３がエギ本体２に装着されると、突起３２はエギ本体２の上端部２ａ寄りの位置に配置される。換言すると、鉛直方向においてエギ本体２の中央部を通り水平方向に伸びる仮想線を想定した場合、突起３２は、当該仮想線よりも上方に配置される。突起３２は、エギ本体２の側面２６よりも左右方向に所定量だけ突出している。
【００４２】
バンド４は、弾性及び柔軟性を有するシリコンによって形成されており、厚さが一様で扁平形状を呈している。バンド４は、バンド本体部４１と、バンド拡大部４２と、を有している。本実施形態に係るバンド４、バンド本体部４１、バンド拡大部４２は、本発明に係る「固定部材」、「固定部材本体部」、「固定部材拡大部」の一例である。バンド４は、シリコンの他にも、ウレタン、エラストマ、ゴム素材等によって形成してもよい。
【００４３】
図３及び図５に示すように、バンド本体部４１は直線状に延伸するように形成されている。バンド拡大部４２は、このバンド本体部４１の両端部に設けられている。図５に示すように、バンド拡大部４２の幅Ｗ４は、バンド本体部４１の幅Ｗ３よりも大きい。
【００４４】
バンド拡大部４２は、貫通孔４３が形成されている。貫通孔４３は、バンド拡大部４２を厚さ方向に貫通している。貫通孔４３の断面形状は略円形状であり、その直径Ｄは、台座部材３の突起本体部３２ａの幅Ｗ１や突起拡大部３２ｂの幅Ｗ２（いずれも図４参照）よりも小さい。
【００４５】
［使用態様］
次に、引き続き図１から図５を参照しながら、エギ１の使用態様について説明する。
【００４６】
エギ１の使用時、台座部材３は、エギ本体２に装着される。そして、ユーザは、図１及び図２に破線で示すように、台座部材３の台座面３１ａに餌Ｆを配置する。餌Ｆは、イカが実際に捕食可能なものであり、例えば、キビナゴやささみを用いることができる。
【００４７】
ユーザは、固定部材であるバンド４を用いて、餌Ｆを台座面３１ａに固定する作業を行う。ユーザは、種々の方法によって餌Ｆを固定することができるが、一例として、以下の手順の固定作業を行うことができる。尚、ユーザは、釣ろうとするイカの種類や、餌Ｆの種類、漁場の特性、気象条件等に応じて、使用する固定部材を適宜選択することができる。
【００４８】
まず、ユーザは、一方のバンド拡大部４２の貫通孔４３（図５参照）に、台座部材３の前方側の２つの突起３２のうちの１つを挿通させる。上述したように、貫通孔４３の直径Ｄは、突起本体部３２ａの幅Ｗ１や突起拡大部３２ｂの幅Ｗ２よりも小さいが、ユーザがバンド拡大部４２に力を付加して貫通孔４３を拡大することにより、当該貫通孔４３に突起３２を挿通させることができる。
【００４９】
次に、ユーザは、バンド本体部４１が台座部材３の上方に位置し、且つ、バンド本体部４１が台座部材３を左右方向に跨ぐように、バンド４を配置する。そして、ユーザは、他方のバンド拡大部４２の貫通孔４３に、台座部材３の後方側の２つの突起３２のうちの１つを挿通させる。つまり、台座部材３の６つの突起３２のうち、台座部材３の中央部を挟んで対角位置にある２つが、バンド４の貫通孔４３に挿通する。
【００５０】
突起３２が貫通孔４３に挿通された後、弾性によって収縮しようとするバンド拡大部４２が突起本体部３２ａを締め付けることにより、一方のバンド拡大部４２が突起３２に係止する。バンド４に不作為に外力が作用した場合でも、バンド拡大部４２の移動は突起拡大部３２ｂによって規制されるため、バンド拡大部４２の係止が維持される。
【００５１】
次に、ユーザは、台座面３１ａとバンド本体部４１との間に餌Ｆを挿入し、餌Ｆを台座面３１ａに配置する。
【００５２】
次に、ユーザが、図１及び図２に示すように、バンド本体部４１を他の突起３２に係止させることにより、餌Ｆの固定作業が完了する。この際のバンド４の配置パターンは、餌Ｆの種類やサイズ等に応じて、ユーザが適宜選択することができる。バンド４は弾性及び柔軟性を有するシリコンによって形成されているため、バンド本体部４１のうち餌Ｆと当接する部分では、餌Ｆの外形に沿って変形する。このため、バンド４による餌Ｆの損傷を抑制することができる。
【００５３】
バンド４は、その弾性によって餌Ｆを押圧する。これにより、餌Ｆは台座面３１ａに押し付けられ、台座面３１ａに固定される。このとき、台座面３１ａに形成されている凸部３３が、餌Ｆに食い込む。
【００５４】
不図示の釣糸の端部は、直接又は公知の金具を介して、釣糸接続部２４に接続される。ユーザは、餌Ｆが固定されたエギ１を海中に投げ入れ、不図示の竿を操作してエギ１を海中で揺動させることにより、回遊しているイカを誘引する。ユーザは、竿の操作に要する力が増大したことに基づいて、イカがエギ１を掴んだことを察知できる。エギ１を急峻に移動させ、エギ１を掴んでいるイカに針部２５を引っ掛けることにより、イカを釣り上げることができる。
【００５５】
餌Ｆを新たなものに交換する場合等は、台座部材３の突起３２が、バンド本体部４１の両端部のバンド拡大部４２の貫通孔４３に挿通したままの状態で、バンド本体部４１と他の突起３２との係止を解除する。これにより、バンド本体部４１が緩み、台座面３１ａとバンド本体部４１との間に新たな餌Ｆを挿入することができるようになる。バンド４が損傷した場合等は、突起３２に係止しているバンド拡大部４２にユーザが力を付加し、貫通孔４３を拡大することにより、バンド４を台座部材３から取り外すことができる。
【００５６】
［作用効果］
次に、本実施形態に基づく作用効果について説明する。
【００５７】
上記構成によれば、台座面３１ａは、エギ本体２の上端部２ａ寄りの位置に設けられており、ユーザは、上端部２ａ寄りの位置に設けられている取付部である複数の突起３２に、固定部材であるバンド４を係止させることにより、餌Ｆを台座面３１ａに固定することができる。すなわち、上記構成によれば、エギ本体２の上端部２ａ寄りの位置のみで、餌Ｆを固定する作業を完結させることが可能になるため、エギ本体２を周回するようにバンド４を巻きつける必要が無い。この結果、餌Ｆの固定作業を簡単且つ安全に行うことが可能になる。
【００５８】
また、本実施形態において、取付部は、バンド４を係止させるための複数の突起３２である。突起３２は、突起本体部３２ａ及び突起拡大部３２ｂを有している。突起本体部３２ａは、左右方向に突出している。突起拡大部３２ｂは、突起本体部３２ａの先端部に設けられ、且つ、突起本体部３２ａよりも大きな幅Ｗ２を有している。この構成によれば、バンド４が外力を受けた場合でも、バンド４の移動を突起拡大部３２ｂによって規制することができる。この結果、バンド４の係止が不作為に解除されることを防止し、餌Ｆを台座面３１ａに確実に固定することが可能になる。
【００５９】
また、エギ１は、エギ本体２と別体で形成され、且つ、エギ本体２の上端部２ａに固定される台座部材３を備えている。台座面３１ａ及び突起３２は、台座部材３に設けられている。この構成によれば、台座面３１ａ及び突起３２が設けられている台座部材３を、エギ本体２から分離した状態で、エギ本体２に加飾や加工を施すことができる。これにより、突起３２によって邪魔されることなく、エギ本体２に加飾や加工を施すことが可能になる。また、台座面３１ａに配置された餌Ｆと布２８とは台座部材３によって隔てられるため、餌Ｆの臭いが布２８に付着してしまうことを抑制できる。
【００６０】
また、台座部材３の台座面３１ａに複数の凸部３３が形成されている。この構成によれば、台座面３１ａに配置された餌Ｆに凸部３３を食い込ませ、餌Ｆの移動を抑制し、餌Ｆを台座面３１ａに確実に固定することが可能になる。また、エギ本体２に布２８が貼付される場合でも、台座部材３をエギ本体２から分離した状態でエギ本体２の外側面に布２８を貼付すれば、台座面３１ａの凸部３３が当該布２８によって覆われてしまうこともない。
【００６１】
また、台座部材３は、エギ本体２に着脱自在に構成されている。この構成によれば、形状、色、模様、サイズ等が互いに異なる複数の台座部材３を用意し、ユーザが釣ろうとする生物や、固定部材の種類等に応じて、台座部材３を選択的にエギ本体２に装着することが可能になる。
【００６２】
また、台座部材３は、透明材料によって形成されている。この構成によれば、台座部材３に設けられた複数の突起３２を目立たなくし、イカやタコ等の生物に視覚を通して与える違和感を軽減することが可能になる。
【００６３】
上述したように、台座部材３は、ＡＢＳ樹脂によって形成されている。しかしながら、台座部材３は、ＡＢＳ樹脂に代えて、エギ本体２よりも柔軟性を有する材料（例えば、シリコン、ゴム、エラストマ等）によって形成されていてもよい。この構成によれば、イカやタコ等の生物が台座部材３を掴んだ際に、当該生物に触覚を通して与える違和感を軽減することが可能になる。
【００６４】
また、台座部材３及びバンド４の少なくとも一方が、発光材料によって形成されていてもよい。この構成によれば、特に夜間に、光によって、ユーザが釣ろうとする生物をより強く誘引することが可能になる。発光材料としては、例えば、蓄光材料や、紫外線を受けて発光する蛍光材料等を用いることができる。
【００６５】
また、バンド４は、バンド本体部４１及びバンド拡大部４２を有している。バンド拡大部４２は、バンド本体部４１の両端部に設けられ、バンド本体部４１よりも大きな幅Ｗ４を有し、且つ貫通孔４３が形成されている。貫通孔４３は、バンド拡大部４２の弾性によって拡大して突起３２を挿通可能に形成されている。この構成によれば、バンド拡大部４２の弾性によって拡大した貫通孔４３は、突起３２を挿通させた後に収縮し、突起３２を締め付けるように作用する。これにより、突起３２に対してバンド拡大部４２を強固に係止させ、餌Ｆを台座面３１ａに確実に固定することが可能になる。また、バンド拡大部４２はバンド本体部４１よりも大きな幅を有しているため、貫通孔４３を拡大させた際にバンド拡大部４２が破損することを防止できる。
【００６６】
以上、具体例を参照しつつ本発明の実施の形態について説明した。しかし、本発明はこれらの具体例に限定されない。すなわち、これら具体例に、当業者が適宜設計変更を加えたものも、本発明の特徴を備えている限り、本発明の範囲に包含される。前述した各具体例が備える各要素及びその配置、材料、条件、形状、サイズなどは、例示したものに限定されず、適宜変更することができる。
【００６７】
上記実施形態では、台座部材３が透明材料によって形成されている。本発明では、さらに、固定部材であるバンド４を透明材料によって形成してもよい。これにより、台座部材３の複数の突起３２に係止しているバンド４を目立たなくし、イカやタコ等の生物に視覚を通して与える違和感をさらに軽減することが可能になる。
【００６８】
また、上記実施形態では、固定部材であるバンド４は、取付部である突起３２に取り付けられる。しかしながら、本発明はこの形態に限定されない。例えば、固定部材に凸部が設けられ、エギ本体や台座部材に凹部が設けられる形態では、その凸部を凹部に嵌入させることにより、固定部材を取付部に取り付けることができる。この他、取付部として、面ファスナや、釦、磁石等、固定部材を取付部に対し着脱自在に取り付けることが可能な種々の形態を採用することができる。
【００６９】
また、上記実施形態では、台座面３１ａ、及び、取付部である突起３２は、エギ本体２の上端部２ａ寄りの位置に設けられている。しかしながら、本発明はこの形態に限定されない。例えば、台座面及び取付部は、エギ本体の下端部寄りの位置や、側面寄りの位置に配置されていてもよい。また、台座面及び取付部は、エギ本体の上端部寄りの位置、下端部寄りの位置、側面寄りの位置から選択された複数の位置に配置されていてもよい。
【符号の説明】
【００７０】
１    ：エギ
２    ：エギ本体
２ａ  ：上端部（一端部）
３    ：台座部材
３１ａ：台座面
３２  ：突起（取付部）
３２ａ：突起本体部
３２ｂ：突起拡大部
３３  ：凸部
４    ：バンド（固定部材）
４１  ：バンド本体部（固定部材本体部）
４２  ：バンド拡大部（固定部材拡大部）
４３  ：貫通孔
Ｆ    ：餌
【図１】
0006886726.tif 000002
【図２】
0006886726.tif 000003
【図３】
0006886726.tif 000004
【図４】
0006886726.tif 000005
【図５】
0006886726.tif 000006